(57)【特許請求の範囲】
【請求項１】
仮設電気配線、仮設給水配管および仮設排水配管を含む複数の仮設設備が配置されてユニット化した仮設設備ユニット用の架台であって、
前記仮設電気配線、前記仮設給水配管および前記仮設排水配管をそれぞれ挿通するためのスリーブからなるスリーブユニットを備え、
前記スリーブユニットは、前記スリーブを固定するベースと、前記ベースの上面に設けられ、下側部材と上側部材とに上下２分割されたフレーム接続部材とを備えており、
前記フレーム接続部材の下側部材は、前記ベースの上面に接合され、前記フレーム接続部材の上側部材には、水平フレームおよび鉛直フレームが接続されていることを特徴とする仮設設備ユニット架台。
【請求項２】
前記仮設設備は仮設トイレおよび仮設手洗いの少なくとも一方をさらに含むことを特徴とする請求項１に記載の仮設設備ユニット架台。
【請求項３】
前記仮設電気配線、前記仮設給水配管および前記仮設排水配管を、建物の各階フロア毎にユニット化したことを特徴とする請求項１または２に記載の仮設設備ユニット架台。
【発明の詳細な説明】
【技術分野】
【０００１】
本発明は、建設途中の建物内に設けられる仮設電気配線、仮設給排水配管、仮設トイレ、仮設手洗いなどの複数の仮設設備をひとまとめにユニット化するのに好適な仮設設備ユニット架台に関するものである。
【背景技術】
【０００２】
従来、建設途中の建物内においては、仮設電気配線、仮設給排水配管、仮設トイレ、仮設手洗いなどの仮設設備を配置することが必要不可欠となっている。これらの仮設設備の配置レイアウトや規模は通常、アクセス性や作業効率性等の現場条件を考慮して現場ごとに計画されており、その設備仕様を標準化することは困難とされてきた。
【０００３】
また、これらの仮設設備は、工事進捗に応じて現場内の別の場所に移設されるものであるが、この移設に伴う作業コストを事前に見積ることは難しく、コスト予測が困難となっていた。さらに、これらの仮設設備を構成する配管や電気配線等の資材は通常、本設備が完成すると廃棄されて使い捨て状態となっていた。
【０００４】
こうした現状に対し、仮設電気配線、仮設給排水その他の配管、仮設トイレ、仮設手洗いなどの複数の仮設設備をユニット化して現場内の別の場所、あるいは、他の工事現場でも再使用可能な仕様にできれば、低コスト化および省資源化が図れて好都合である。また、ひいては仮設設備に係るコストが明確になるとともに、資材の使い捨てなどの芳しくない現場イメージを一新することにもつながる。
【０００５】
ここで、複数の設備をユニット化する従来の関連技術としては、例えば特許文献１に示されるような半導体の製造装置を取り付けるための据え付け台が知られている。この据え付け台は、製造装置との接続が容易で、その表面の一部を横切るように設置される多目的接続部を含んでおり、複数の製造装置群を収容可能となっている。
【０００６】
また、仮設電気配線、仮設給排水配管の配置に関連する従来の技術としては、例えば特許文献２に示されるような床用スリーブ装置が知られている。この床用スリーブ装置は、ビル工事において鉄筋を組む際に、床の部分に円筒形の金属製スリーブを組み付けて配管通し穴を縦方向に形成するものである。スリーブは、コンクリート打ちで構築される床の厚さに一致する高さ寸法を有するようされている。
【０００７】
また、仮設電気配線の構造に関連する従来の技術としては、例えば特許文献３に示されるようなコネクタを用いた構造が知られている。この構造は、電気ケーブルの配線作業を容易にし、体裁の良い配線を可能にするためのものである。
【先行技術文献】
【特許文献】
【０００８】
【特許文献１】特表２００５−５１９４６７号公報
【特許文献２】特開２００７−１３８６９２号公報
【特許文献３】特開平８−３３２１４２号公報
【発明の概要】
【発明が解決しようとする課題】
【０００９】
本発明は、上記に鑑みてなされたものであって、複数の仮設設備をユニット化することができる仮設設備ユニット架台を提供することを目的とする。
【課題を解決するための手段】
【００１０】
上記した課題を解決し、目的を達成するために、本発明の請求項１に係る仮設設備ユニット架台は、仮設電気配線、仮設給水配管および仮設排水配管を含む複数の仮設設備が配置されてユニット化した仮設設備ユニット用の架台であって、前記仮設電気配線、前記仮設給水配管および前記仮設排水配管をそれぞれ挿通するためのスリーブからなるスリーブユニットを備え、前記スリーブユニットは、前記スリーブを固定するベースと、前記ベースの上面に設けられ、下側部材と上側部材とに上下２分割されたフレーム接続部材とを備えており、前記フレーム接続部材の下側部材は、前記ベースの上面に接合され、前記フレーム接続部材の上側部材には、水平フレームおよび鉛直フレームが接続されていることを特徴とする。
【００１１】
また、本発明の請求項２に係る仮設設備ユニット架台は、上述した請求項１において、前記仮設設備は仮設トイレおよび仮設手洗いの少なくとも一方をさらに含むことを特徴とする。
【００１２】
また、本発明の請求項３に係る仮設設備ユニット架台は、上述した請求項１または２において、前記仮設電気配線、前記仮設給水配管および前記仮設排水配管を、建物の各階フロア毎にユニット化したことを特徴とする。
【発明の効果】
【００１３】
本発明に係る仮設設備ユニット架台によれば、仮設電気配線、仮設給水配管および仮設排水配管を含む複数の仮設設備が配置されてユニット化した仮設設備ユニット用の架台であって、前記仮設電気配線、前記仮設給水配管および前記仮設排水配管をそれぞれ挿通するためのスリーブからなるスリーブユニットを備えたので、複数の仮設設備をユニット化することができるという効果を奏する。
【図面の簡単な説明】
【００１４】
【図１】図１は、本発明に係る仮設設備ユニット架台の実施例を示す斜視図である。
【図２】図２は、仮設設備ユニットを示す斜視図である。
【図３】図３は、仮設設備ユニットおよび仮設設備ユニット架台の上面図である。
【図４】図４は、仮設設備ユニットおよび仮設設備ユニット架台の側面図である。
【図５】図５は、仮設設備ユニットおよび仮設設備ユニット架台の正面図である。
【図６】図６は、図５のＡ−Ａ線に沿った図である。
【図７】図７は、タイプＡの仮設設備ユニットを示す斜視図である。
【図８】図８は、タイプＢの仮設設備ユニットを示す斜視図である。
【図９】図９は、タイプＣの仮設設備ユニットを示す斜視図である。
【図１０】図１０は、仮設設備ユニットの構築方法の手順１を例示する図である。
【図１１】図１１は、仮設設備ユニットの構築方法の手順２を例示する図である。
【図１２】図１２は、仮設設備ユニットの構築方法の手順３を例示する図である。
【図１３】図１３は、仮設設備ユニットの構築方法の手順４を例示する図である。
【図１４】図１４は、仮設電気配線ユニットの配線例を示す斜視図である。
【図１５】図１５は、図１４のＢ部分の拡大図である。
【図１６】図１６は、図１５の部分拡大図である。
【図１７】図１７は、図１４のＣ部分の拡大図である。
【図１８】図１８は、図１７のコネクタ接続を外した場合の図である。
【図１９】図１９は、建物内の配線・配管系統例を示す概略図である。
【発明を実施するための形態】
【００１５】
以下に、本発明に係る仮設設備ユニット架台の実施の形態を図面に基づいて詳細に説明する。なお、この実施例によりこの発明が限定されるものではない。
【００１６】
図１に示すように、本発明に係る仮設設備ユニット架台１０は、仮設電気配線ユニット２６（仮設電気配線）、仮設給水配管３２および仮設排水配管３０を含む複数の仮設設備が配置されてユニット化した仮設設備ユニット用の架台であり、建設途中の建物のフロア２に設けた金属製の波形板１２上に配置される。
【００１７】
この仮設設備ユニット架台１０は、波形板１２上に設けたスリーブユニット１４と、フレーム接続部材１６を介してその上方に配置される四角枠状の水平フレーム１８と、この外縁に立設される柵状の鉛直フレーム２０とを備えている。なお、図１には示していないが、波形板１２上面から水平フレーム１８下面にかけてスラブコンクリート（図４および図５の符号４０を参照）を打設することが望ましい。
【００１８】
鉛直フレーム２０の上方外側には、動力用分電盤２２と電灯用分電盤２４が左右に並設されており、各分電盤２２、２４は、配線２８により仮設電気配線ユニット２６の図示しない分岐配線と電気的に接続されている。なお、鉛直フレーム２０の上下方向中央位置には中間板２０ａ（図５を参照）が設けてあり、剛性を高めている。
【００１９】
スリーブユニット１４は、仮設電気配線ユニット２６、仮設給水配管３２および仮設排水配管３０をそれぞれ挿通する複数の円筒形のスリーブ１４ａからなる。各スリーブ１４ａはＸ方向に配列してある。また、仮設電気配線ユニット２６の上下端部にはコネクタ２６ａが形成してあり、配線を継ぎ足せるようにしてある。
【００２０】
この仮設設備ユニット架台１０によりユニット化された仮設設備ユニットの一例を図２に示す。この図２に示すように、仮設設備ユニット１００は、波形板１２上に打設した図示しないコンクリート上に配置される載置台３４と、この載置台３４の上面に設けた仮設トイレユニット３６および仮設手洗いユニット３８により構成される。
【００２１】
図３〜図５はそれぞれ仮設設備ユニットおよび仮設設備ユニット架台の上面図、側面図、正面図である。図６は図５のＡ−Ａ線に沿った図である。なお、図３〜図６には、波形板１２上面から水平フレーム１８下面にかけてスラブコンクリート４０を打設した場合が示されている。
【００２２】
図３〜図６に示すように、スリーブユニット１４は、Ｘ方向に複数配列したスリーブ１４ａと、これらスリーブ１４ａの下端側を固定するベース１４ｂとを備えている。また、図６に示すように、ベース１４ｂ上には各スリーブ１４ａの周囲を区画するようにリブ１４ｃが配置してある。
【００２３】
各スリーブ１４ａは、上下端が開口した円筒状のものであり、各上端の開口は水平フレーム１８の開口面に対面するようにしてある。また、各下端の開口は波形板１２およびフロア２に設けた図示しない開口部に対向配置してある。したがって、仮設電気配線ユニット２６、仮設給水配管３２、仮設排水配管３０等は各スリーブ１４ａに挿通されて水平フレーム１８の開口および波形板１２およびフロア２の図示しない開口部を通ってフロア２の上下方向に延設可能となっている。
【００２４】
仮設トイレユニット３６は、簡易便器３６ａと排水配管３６ｂとを備えている。排水配管３６ｂは載置台３４の下側を通ってその出口をスリーブ１４ａの上端開口に向けて配置してある。このため、排水配管３６ｂの出口とスリーブ１４ａに挿通した図示しない仮設排水配管３０とをＬ字管等を用いて容易に接続できるようになっている。
【００２５】
ここで、仮設設備ユニット１００の平面形状としては、アクセス性等を考慮して仮設トイレユニット３６および仮設手洗いユニット３８のＸ、Ｙ方向の配置位置および向きを変更自在な仕様とするために、図３に示すように、Ｌ×Ｌの正方形状を標準とする。このようにすれば、ユニットの配置レイアウトを現場の事情に即した形態とすることが可能である。さらに、スリーブユニット１４の長辺はＬとする。
【００２６】
また、本発明の仮設設備ユニット架台１０により構成される仮設設備ユニットとしては、図７〜図９に示したタイプＡ、Ｂ、Ｃを例示することができる。図７のタイプＡの仮設設備ユニット１００Ａは、仮設電気配線ユニット、仮設給水配管および仮設排水配管だけを有し、仮設トイレユニットおよび仮設手洗いユニットを有しない構成となっている。また、図８のタイプＢの仮設設備ユニット１００Ｂは、タイプＡの構成に仮設手洗いユニット３８を加えた構成となっている。もちろん仮設手洗いユニット３８の代わりに仮設トイレユニット３６を加えた構成することも可能である。また、図９のタイプＣの仮設設備ユニット１００Ｃは、上述した仮設設備ユニット１００と同じ構成であり、仮設トイレユニット３６および仮設手洗いユニット３８の両方を有する構成となっている。
【００２７】
［仮設設備ユニットの構築方法］
次に、仮設設備ユニットの構築方法の一例について図１０〜図１３を参照しながら説明する。図１０〜図１３はそれぞれ、仮設設備ユニットの構築方法の手順１〜手順４を示す図である。
【００２８】
まず、図１０（１）に示すように、フロアに設けた図示しない波形板上にスリーブユニット１４を据え付け配置する。各スリーブ１４ａの上端開口にはキャップ１４ｄが設けてある。また、スリーブユニット１４のベース１４ｂ上面の両側にフレーム接続部材１６をボルト接合する。ここで、フレーム接続部材１６は、図１０（２）に示すように、下側部材１６ａと上側部材１６ｂとに上下２分割されており、接合端面にはボルト孔１６ｄを有する端板１６ｃがそれぞれ設けてある。下側部材１６ａ側からボルト孔１６ｄに差し込まれたボルト１６ｅが上側部材１６ｂ側でナット１６ｆに螺合することにより、両部材１６ａ、１６ｂは接合した状態となっている。
【００２９】
次に、図１１に示すように、スリーブユニット１４のスリーブ１４ａの周囲にスラブコンクリートを打設する。この場合、フレーム接続部材１６の上側部材１６ｂがコンクリート面より上方に出るようにし、下側部材１６ａが埋め込まれるようにする。また、スリーブ１４ａの上端はコンクリート面と面一になるようにする。このように、フレーム接続部材１６を、コンクリートから出る上側部材１６ｂと埋め込まれる下側部材１６ａとに２分割しておけば、仮設設備ユニットを解体撤去する際に、ナット１６ｆを外すだけで簡便にフレーム接続部材１６の上側部材１６ｂを取り除くことができる。
【００３０】
続いて、図１２に示すように、フレーム接続部材１６上に水平フレーム１８を接続する。ここで、鉛直フレーム２０は水平フレーム１８に予め固定してあるものとする。各分電盤２２、２４を鉛直フレーム２０に取り付ける。また、仮設給水配管３２および仮設排水配管３０を各スリーブ１４ｂにそれぞれ挿通する。ここで、各配管３２、３０の端部に備えてある図示しない案内ケーブルを牽引することでスリーブ１４ｂへの挿通が容易となる。また、仮設給水配管３２および仮設排水配管３０はその上端に分岐部を有する構造を用いることができる。
【００３１】
次に、図１３に示すように、仮設電気配線ユニット２６を各スリーブ１４ｂにそれぞれ挿通する。そして、各分電盤２２、２４と仮設電気配線ユニット２６の各分岐配線とを配線２８で接続する。この後、必要に応じて仮設トイレユニットや仮設手洗いユニットを設け、これらのユニットに備わる給排水配管を仮設給水配管３２および仮設排水配管３０と接続すればよい。
【００３２】
このように、本発明の仮設設備ユニット架台１０によれば、現場に必須の複数の仮設設備をユニット化できるので、仮設設備の据え付け、撤去作業を迅速かつ簡単に行うことができる。このため、仮設計画を簡素化することが可能となり、仮設設備の盛替え工事を大幅に削減することができる。したがって、仮設設備に係るコストがより明確になる。また、仮設設備ユニット架台により構成した仮設設備ユニットは、仮設設備の標準化、リース化を図り易い構造であることから、さらにコストダウンを図ることが可能となる。また、他の工事現場に転用でき、リサイクル・リユースが可能な構成であることから省資源化を図ることができる。
【００３３】
［仮設電気配線ユニット］
次に、ユニット化した仮設電気配線ユニット２６について図１４〜図１９を参照しながら説明する。
【００３４】
図１４は仮設電気配線ユニットの配線例を示す斜視図、図１５は図１４のＢ部分の拡大図、図１６は図１５の部分拡大図、図１７は図１４のＣ部分の拡大図、図１８は図１７のコネクタ接続を外した場合の図である。
【００３５】
従来の仮設電気配線については、以下の（１）〜（３）に示すような問題があった。
【００３６】
（１）仮設電気配線を配線する仮設電気工事は工事現場に必要不可欠な工事であるが、現場ごとに仮設電気業者が工事計画をし、鉄骨階段等を這わせて施工している。各セクションごとに電気配線を直接接続してテーピングして分岐させる。階段等に這わせた電気配線は、作業員が触れる危険性があるとともに、視覚的にも好ましくない。
【００３７】
（２）本設備の受電が完了して仮設電気配線が不要となった場合、電気配線は所定長さに切断されて撤去されていた。このため他の工事現場で再使用することは難しく経済的ではなかった。
【００３８】
（３）階段等に這わせた各電気配線同士を繋ぐ着脱作業は作業員の手間を煩わせ、効率的ではなかった。
【００３９】
そこで、仮設電気配線ユニット２６を、仮設設備ユニットの一部として、他の仮設設備と同じ仮設設備ユニット架台に設置する構成とする。図１４〜図１８に示すように、仮設電気配線ユニット２６は、建物の上下階の各フロア２ごとにユニット化されている。縦系統はコネクタ２６ｄにてコネクタ接続としてあり、かつ、分岐部２６ｂはモールド分岐として分岐配線２６ｃに接続してある。ここで、コネクタ２６ｄは、図１８に示すように、雄コネクタ２６ａ１と雌コネクタ２６ａ２とにより構成されている。雄コネクタ２６ａ１、雌コネクタ２６ａ２が図１等のコネクタ２６ａに対応している。なお、各フロア２の仮設電気配線ユニット２６の支持については、図示しない仮設設備ユニット架台１０にフロア分の荷重を持たせる構造としてある。
【００４０】
上記のように構成した仮設電気配線ユニット２６によれば、以下の（１）〜（４）の作用効果を奏することができる。
【００４１】
（１）各フロアの施工手順（フロア立ち上がり）に即した工程で設置可能であることから、電気供給が早くなる。
【００４２】
（２）接続部がコネクタ形式のため、施工が簡単であり、作業コストを低減することができる。
【００４３】
（３）モールド分岐部２６ｂを分岐配線により構成できるので、電気配線の直線区間を含めて接続部の電気的信頼性が高い。
【００４４】
（４）本設備の受電後の仮設電気配線ユニットを撤去する際に、コネクタ形式の接続のため容易に切り離しができ、他の現場に容易に転用できる。このことにより、従来現場単位で算出していたコストについては、リース化によるコストダウンを期待することができる。
【００４５】
図１９は、建物内の配線・配管系統を例示したものである。
図１９に示すように、下階のフロア２に設けた仮設設備ユニット１００に備わる仮設トイレユニット３６、仮設手洗いユニット３８は、仮設給水配管３２、仮設排水配管３０に接続している。また、各分電盤２２、２４は仮設電気配線ユニット２６に接続している。なお、図１９は、フレッシュコンクリートを圧送するための配管を仮設設備ユニット１００のスリーブ１４ａに挿通した場合を示している。
【００４６】
以上説明したように、本発明に係る仮設設備ユニット架台によれば、仮設電気配線、仮設給水配管および仮設排水配管を含む複数の仮設設備が配置されてユニット化した仮設設備ユニット用の架台であって、前記仮設電気配線、前記仮設給水配管および前記仮設排水配管をそれぞれ挿通するためのスリーブからなるスリーブユニットを備えたので、複数の仮設設備をユニット化することができる。
【産業上の利用可能性】
【００４７】
以上のように、本発明に係る仮設設備ユニット架台は、建設途中の建物内に設けられる仮設電気配線、仮設給排水配管、仮設トイレ、仮設手洗いなどの複数の仮設設備をユニット化するのに有用であり、特に、仮設設備の据え付け、撤去作業を迅速かつ簡単に行うのに適している。
【符号の説明】
【００４８】
２  フロア
１０  仮設設備ユニット架台
１２  波形板
１４  スリーブユニット
１４ａ  スリーブ
１４ｂ  ベース
１４ｃ  リブ
１４ｄ  キャップ
１６  フレーム接続部材
１８  水平フレーム
２０  鉛直フレーム
２０ａ  中間板
２２  動力用分電盤
２４  電灯用分電盤
２６  仮設電気配線ユニット
２６ａ，２６ｄ  コネクタ
２６ａ１  雄コネクタ
２６ａ２  雌コネクタ
２６ｂ  分岐部
２６ｃ  分岐配線
２８  配線
３０  仮設排水配管
３２  仮設給水配管
３４  載置台
３６  仮設トイレユニット
３６ａ  簡易便器
３６ｂ  排水配管
３８  仮設手洗いユニット
４０  コンクリート
１００，１００Ａ，１００Ｂ，１００Ｃ  仮設設備ユニット
【図１】
0006024943.tif 000002
【図２】
0006024943.tif 000003
【図３】
0006024943.tif 000004
【図４】
0006024943.tif 000005
【図５】
0006024943.tif 000006
【図６】
0006024943.tif 000007
【図７】
0006024943.tif 000008
【図８】
0006024943.tif 000009
【図９】
0006024943.tif 000010
【図１０】
0006024943.tif 000011
【図１１】
0006024943.tif 000012
【図１２】
0006024943.tif 000013
【図１３】
0006024943.tif 000014
【図１４】
0006024943.tif 000015
【図１５】
0006024943.tif 000016
【図１６】
0006024943.tif 000017
【図１７】
0006024943.tif 000018
【図１８】
0006024943.tif 000019
【図１９】
0006024943.tif 000020